(57)【特許請求の範囲】
【請求項１】
往き配管及び戻り配管を介して温調機器に接続される室外機におけるヘッダの支持構造であって、
前記室外機において位置規制された第１配管が接続される第１配管接続部と、前記往き配管が接続される往き配管接続部とを有し、その内部に弁機構が配置された往きヘッダと、
前記室外機において位置規制された第２配管が接続される第２配管接続部と、前記戻り配管が接続される戻り配管接続部とを有する戻りヘッダと、
前記第１配管が前記第１配管接続部に接続された状態で前記往きヘッダを前記室外機に支持すると共に、前記第２配管が前記第２配管接続部に接続された状態で前記戻りヘッダを前記室外機に支持するための支持部材とを備え、
前記往きヘッダは、前記第１配管と前記支持部材とにより挟持されると共に、前記戻りヘッダは、前記第２配管と前記支持部材とにより挟持されることを特徴とする、ヘッダの支持構造。
【請求項２】
前記支持部材には、貫通孔が形成されており、
前記戻りヘッダの一端部には、前記貫通孔に挿入可能な突出部と、前記突出部の外周面に形成され且つ前記貫通孔の内径より大きな外径を有するリブ部とが設けられることを特徴とする、請求項１に記載のヘッダの支持構造。
【請求項３】
前記往きヘッダ及び前記戻りヘッダは、共に樹脂製であることを特徴とする、請求項１又は２に記載のヘッダの支持構造。
【請求項４】
前記往きヘッダは、前記戻りヘッダの上方に配置されることを特徴とする、請求項１〜３のいずれか１項に記載のヘッダの支持構造。
【請求項５】
前記往き配管接続部は前記戻り配管接続部よりも配管接続方向下流側に配置されていることを特徴とする、請求項１〜４のいずれか１項に記載のヘッダの支持構造。
【請求項６】
前記往きヘッダは、複数の前記往き配管接続部及びそれらに対応した複数の前記弁機構を有すると共に、
前記戻りヘッダは、複数の前記戻り配管接続部を有することを特徴とする、請求項１〜５のいずれか１項に記載のヘッダの支持構造。
【発明の詳細な説明】
【技術分野】
【０００１】
本発明は、往き配管及び戻り配管を介して床暖房パネル等の温調機器に接続される室外機におけるヘッダの支持構造に関する。
【背景技術】
【０００２】
家屋の床に配設された床暖房パネル等の温調機器を備えた床暖房装置では、往き配管、床暖房パネル、戻り配管の順に温水を循環させることにより床暖房を行っている。往き配管の一方端には床暖房パネルの入口が接続されると共に、他方端には往きヘッダが接続されている。また、戻り配管の一方端には床暖房パネルの出口が接続されると共に、他方端には戻りヘッダが接続されている（例えば、特許文献１参照）。
【０００３】
この特許文献１には、室外機に設けられる第１配管に接続される主管接続部と複数の往き配管にそれぞれ接続される複数の分岐管接続部とを有する往きヘッダ、及び、複数の戻り配管にそれぞれ接続される複数の分岐管接続部と室外機に設けられる第２配管に接続される主管接続部とを有する戻りヘッダの固定構造が開示されている。このヘッダの固定構造では、往きヘッダの主管接続部と第１配管とを接続した状態で、その接続部分にクイックファスナを取り付けると共に、戻りヘッダの主管接続部と第２配管とを接続した状態で、その接続部分にクイックファスナを取り付けている。また、往きヘッダの主管接続部の反対側の先端部及び戻りヘッダの主管接続部の反対側の先端部は、その先端部の外周面に当接する別々の押さえ金具により、室外機に固定される載置台に固定される。
【０００４】
【特許文献１】特開２０００−２３４７４６号公報
【発明の開示】
【発明が解決しようとする課題】
【０００５】
上記した特許文献１では、往きヘッダの主管接続部と第１配管とを接続した状態で室外機に支持させるためには、クイックファスナ及び押さえ金具が必要である。また、戻りヘッダの主管接続部と第２配管とを接続した状態で室外機に支持させるためにも、クイックファスナ及び押さえ金具が必要である。つまり、往きヘッダ及び戻りヘッダをそれぞれ室外機に支持させるためには、４つの部材（２つのクイックファスナ，２つの押え金具）が必要となる。
【０００６】
そこで、この発明は、上記のような課題を解決するためになされたものであり、往きヘッダ及び戻りヘッダを支持するのに要する部品点数を削減することが可能なヘッダの支持構造を提供することを目的とする。
【課題を解決するための手段】
【０００７】
第１の発明にかかるヘッダの支持構造は、往き配管及び戻り配管を介して温調機器に接続される室外機におけるヘッダの支持構造であって、前記室外機において位置規制された第１配管が接続される第１配管接続部と、前記往き配管が接続される往き配管接続部とを有し、その内部に弁機構が配置された往きヘッダと、前記室外機において位置規制された第２配管が接続される第２配管接続部と、前記戻り配管が接続される戻り配管接続部とを有する戻りヘッダと、前記第１配管が前記第１配管接続部に接続された状態で前記往きヘッダを前記室外機に支持すると共に、前記第２配管が前記第２配管接続部に接続された状態で前記戻りヘッダを前記室外機に支持するための支持部材とを備え、前記往きヘッダは、前記第１配管と前記支持部材とにより挟持されると共に、前記戻りヘッダは、前記第２配管と前記支持部材とにより挟持されることを特徴とする。
【０００８】
このヘッダの支持構造では、１つの支持部材により、第１配管と第１配管接続部とを接続した状態で往きヘッダを室外機に支持することができ、且つ、第２配管と第２配管接続部とを接続した状態で戻りヘッダを室外機に支持することができる。つまり、本発明のヘッダの支持構造では、クイックファスナや押え金具を用いることなく、１つの支持部材によって往きヘッダ及び戻りヘッダを室外機に支持させることができる。その結果、往きヘッダ及び戻りヘッダを支持するのに共通の支持部材を用いることができ、部品点数を削減することができる。
また、このヘッダの支持構造では、往きヘッダを第１配管と支持部材とにより挟持することによって、往きヘッダの第１配管接続部と第１配管とを確実に接続することができる。このため、往きヘッダの第１配管接続部と第１配管との接続部分に装着される部材（例えば、クイックファスナ）を用いることなく、往きヘッダの第１配管接続部と第１配管との接続不良を防止することができる。また、戻りヘッダについても同様に、戻りヘッダの第２配管接続部と第２配管との接続部分に装着される部材（例えば、クイックファスナ）を用いることなく、戻りヘッダの第２配管接続部と第２配管との接続不良を防止することができる。
【０００９】
【００１０】
【００１１】
【００１２】
【００１３】
【００１４】
第２の発明にかかるヘッダの支持構造は、第１の発明にかかるヘッダの支持構造において、支持部材には、貫通孔が形成されており、戻りヘッダの一端部には、貫通孔に挿入可能な突出部と、突出部の外周面に形成され且つ貫通孔の内径より大きな外径を有するリブ部とが設けられる。
【００１５】
このヘッダの支持構造では、支持部材の貫通孔に戻りヘッダの突出部が挿入された状態で、リブ部が支持部材に当接するので、戻りヘッダを第２配管と支持部材とにより挟持する構成を容易に実現できる。また、支持部材の貫通孔に戻りヘッダの突出部を挿入する構成では、戻りヘッダは、突出部の軸回りに回転可能となる。そのため、戻りヘッダの戻り配管接続部に接続される戻り配管の取り付け角度が調整可能となり、戻り配管に加わるストレスが小さくなるように配管することができる。従って、温調機器に接続される戻り配管の位置に応じた最適な配管が可能となり、汎用性及び利便性が向上する。
【００１６】
第３の発明にかかるヘッダの支持構造は、第１又は第２の発明にかかるヘッダの支持構造において、往きヘッダ及び戻りヘッダは、共に樹脂製である。
このヘッダの支持構造では、往きヘッダ及び戻りヘッダが共に樹脂製であることから、往きヘッダ及び戻りヘッダを複数の金属部品（例えば、銅、黄銅）により成型・組み立てする場合と異なり、往きヘッダと戻りヘッダとに生じる寸法誤差を縮小させることができる。これにより、往きヘッダ及び戻りヘッダの寸法に合わせて支持部材を形成することが可能となる。そのため、平板状の１つの支持部材で、第１配管が第１配管接続部に接続された状態で往きヘッダを室外機に支持すると共に、第２配管が第２配管接続部に接続された状態で戻りヘッダを室外機に支持することができる。したがって、往きヘッダ及び戻りヘッダを別々の部材で支持する場合に比べて、往きヘッダ及び戻りヘッダを支持するのに要する部品点数を削減することができる。
また、往きヘッダ及び戻りヘッダを支持するのに要する部品点数が削減されるのに伴って、その往きヘッダ及び戻りヘッダを室外機に支持する作業工程が削減される。さらに、上記したように、往きヘッダ及び戻りヘッダを樹脂製にすることによって、ロウ付け作業や溶接作業などが伴う金属製（例えば、銅製）の往きヘッダ及び戻りヘッダを製造する場合に比べて、往きヘッダ及び戻りヘッダのコストダウンを図ることができる。
第４の発明にかかるヘッダの支持構造は、第１〜第３の発明のいずれかにかかるヘッダの支持構造において、往きヘッダは、戻りヘッダの上方に配置される。
【００１７】
このヘッダの支持構造では、戻り配管が放火などの原因で燃えて当該戻り配管が接続される戻りヘッダが延焼した場合でも、戻りヘッダの上方に配置される往きヘッダが、戻りヘッダに係るもらい火によって類焼するのを抑制することができる。さらに、往きヘッダの内部に設けられる弁機構が類焼するのも抑制することができる。
【００１８】
第５の発明にかかるヘッダの支持構造は、第１〜第４の発明のいずれかにかかるヘッダの支持構造において、往き配管接続部は戻り配管接続部よりも配管接続方向下流側に配置されている。
【００１９】
このヘッダの支持構造では、作業者から見て、往き配管が接続される往き配管接続部と戻り配管が接続される戻り配管接続部とがズレた位置に配置される。その結果、作業者にとって往き配管及び戻り配管の取付性が向上する。
【００２０】
第６の発明にかかるヘッダの支持構造は、第１〜第５の発明のいずれかにかかるヘッダの支持構造において、往きヘッダは、複数の往き配管接続部及びそれらに対応した複数の弁機構を有すると共に、戻りヘッダは、複数の戻り配管接続部を有する。
【００２１】
このヘッダの支持構造では、温調機器に接続される往き配管及び戻り配管を複数系統有する場合でも、その複数系統の往き配管及び戻り配管に対応可能な往きヘッダ及び戻りヘッダを支持することができる。
【発明の効果】
【００２２】
以上の説明に述べたように、本発明によれば、以下の効果が得られる。
【００２３】
第１の発明では、支持部材により、第１配管と第１配管接続部とを接続した状態で往きヘッダを室外機に支持することができ、且つ、第２配管と第２配管接続部とを接続した状態で戻りヘッダを室外機に支持することができる。つまり、本発明のヘッダの支持構造では、クイックファスナや押え金具を用いることなく、１つの支持部材によって往きヘッダ及び戻りヘッダを室外機に支持させることができる。その結果、往きヘッダ及び戻りヘッダを支持するのに共通の支持部材を用いることができ、部品点数を削減することができる。
また、第１の発明では、往きヘッダの第１配管接続部と第１配管との接続部分に装着される部材を用いることなく、往きヘッダの第１配管接続部と第１配管との接続不良を防止することができる。また、戻りヘッダの第２配管接続部と第２配管との接続部分に装着される部材を用いることなく、戻りヘッダの第２配管接続部と第２配管との接続不良を防止することができる。
第２の発明では、戻りヘッダの戻り配管接続部に接続される戻り配管の取り付け角度が調整可能となり、戻り配管に加わるストレスが小さくなるように配管することができる。従って、温調機器に接続される戻り配管の位置に応じた最適な配管が可能となり、汎用性及び利便性が向上する。
【００２４】
第３の発明では、往きヘッダ及び戻りヘッダが共に樹脂製であることから、往きヘッダ及び戻りヘッダを複数の金属部品（例えば、銅、黄銅）により成型・組み立てする場合と異なり、往きヘッダと戻りヘッダとに生じる寸法誤差を縮小させることができる。これにより、往きヘッダ及び戻りヘッダの寸法に合わせて支持部材を形成することが可能となる。そのため、平板状の１つの支持部材で、第１配管が第１配管接続部に接続された状態で往きヘッダを室外機に支持すると共に、第２配管が第２配管接続部に接続された状態で戻りヘッダを室外機に支持することができる。したがって、往きヘッダ及び戻りヘッダを別々の部材で支持する場合に比べて、往きヘッダ及び戻りヘッダを支持するのに要する部品点数を削減することができる。
また、往きヘッダ及び戻りヘッダを支持するのに要する部品点数が削減されるのに伴って、その往きヘッダ及び戻りヘッダを室外機に支持する作業工程が削減される。さらに、ロウ付け作業や溶接作業などが伴う金属製の往きヘッダ及び戻りヘッダを製造する場合に比べて、往きヘッダ及び戻りヘッダのコストダウンを図ることができる。
【００２５】
【００２６】
【００２７】
第４の発明では、戻りヘッダの上方に配置される往きヘッダが、戻りヘッダに係るもらい火によって類焼するのを抑制することができる。さらに、往きヘッダの内部に設けられる弁機構が類焼するのも抑制することができる。
【００２８】
第５の発明では、作業者から見て、往き配管が接続される往き配管接続部と戻り配管が接続される戻り配管接続部とがズレた位置に配置される。その結果、作業者にとって往き配管及び戻り配管の取付性が向上する。
【００２９】
第６の発明では、温調機器に接続される往き配管及び戻り配管を複数系統有する場合でも、その複数系統の往き配管及び戻り配管に対応可能な往きヘッダ及び戻りヘッダを支持することができる。
【発明を実施するための最良の形態】
【００３０】
（第１実施形態）
以下、図面に基づいて、本発明の第１実施形態に係るヘッダの支持構造を有する温調水ユニットを備えた温調システムの実施形態について説明する。
【００３１】
まず、図１に示している温調システムは、マルチ型のヒートポンプシステムを利用したもので、一台の空気調和ユニット１７に対して、室内機１８と温調水ユニット１とを並列に接続している。そして、空気調和ユニット１７と室内機１８とによって空気調和機が構成されており、また空気調和ユニット１７と温調水ユニット１、床温調パネル２等によって床温調装置が構成されている。この実施形態において、特徴的なのは、床温調装置であるが、いま便宜上、両者について説明する。図１は、上記加熱源としてヒートポンプを用いた床温調装置の水系統及び床温調装置と空気調和機との冷媒系統を示す回路図である。
【００３２】
まず、図１における回路図の床温調装置の水系統について説明する。同図において、１は温調水ユニット、２は家屋の床面に配置された床温調パネルであり、両者１、２及びヒートポンプシステムの空気調和ユニット１７によって床温調装置が構成されている。上記温調水ユニット１と床温調パネル２とは、温調水往き配管（以下、「往き配管」と略記する）３ａと温調水戻り配管（以下、「戻り配管」と略記する）３ｂとから成る温調水配管３によって接続されている。そして、この温調水配管３を通して、温調水ユニット１と床温調パネル２との間において、水循環経路を構成し、循環液８の循環供給を行うよう構成されている。なお、温調水ユニット１は、空気調和ユニット１７の上部に載置可能に構成されており、この温調水ユニット１と空気調和ユニット１７との一体構成品を室外機５０とする。
【００３３】
上記温調水ユニット１は、機械室１ａとヘッダ室１ｂとを備えており、上記機械室１ａには、水熱交換器１６、簡易密閉型の膨張タンク７、循環ポンプ９、電装品３３等が設けられている。また、この機械室１ａには、循環ポンプ９に接続される第１配管１０が位置規制されて設けられており、その先端の出口側接続部１０ａが仕切板１０１（図２参照）を介してヘッダ室１ｂに導かれている。また、機械室１ａには、水熱交換器１６の熱交換路１３に接続される第２配管１２が位置規制されて設けられており、その先端の入口側接続部１２ａが仕切板１０１を介してヘッダ室１ｂに導かれている。
【００３４】
一方、上記ヘッダ室１ｂには、ヘッダの支持構造１００が設けられている。図２は、ヘッダの支持構造を備えた室外機の全体斜視図であり、図３は、図２に示した室外機の平面図である。また、図４及び図５は、図２に示したヘッダの支持構造の拡大斜視図であり、図６は、図２に示したヘッダ支持構造の正面図である。ここで、図２〜図６を参照して、ヘッダの支持構造１００について詳細に説明する。ヘッダの支持構造１００は、樹脂製の往きヘッダ４及び戻りヘッダ６と、当該往きヘッダ４及び戻りヘッダ６をヘッダ室１ｂにおいて所定の高さ位置で支持するための金属製の支持板５とを備えている。
【００３５】
往きヘッダ４は、ヘッダ本体４ａと、そのヘッダ本体４ａの長手方向の一端部に形成される主管接続部４ｂと、ヘッダ本体４ａの外周面において長手方向に沿って並設される複数個（本実施形態では、４個）の分岐管接続部４ｃとから成り、上記主管接続部４ｂに第１配管１０の出口側接続部１０ａ（図１参照）が接続され、各分岐管接続部４ｃに上記床温調パネル２へと通じる往き配管３ａ（図１参照）の一端が接続されている。一方、上記往き配管３ａの他端は、床温調パネル２に形成された蛇行形状の温調水循環パイプ１１の一端の接続部１１ａに接続されている。従って、上記膨張タンク７内の循環液８は、循環ポンプ９の作動によって第１配管１０に供給され、さらに往きヘッダ４で複数本の往き配管３ａに分流されて、各床温調パネル２へと供給される。そして、ヘッダ本体４ａの内部には、各分岐管接続部４ｃに対応して複数個（本実施形態では、４個）の熱動弁１５が設けられており、各分岐管接続部４ｃに流れ込む循環液の流路を開放・遮断している。なお、図１では、図面の簡略化のために、熱動弁１５を往きヘッダ４の外部に記載している。
【００３６】
一方、上記床温調パネル２に形成された温調水循環パイプ１１の他端の接続部１１ａには、戻り配管３ｂが接続されており、その先端には戻りヘッダ６が接続されている。上記戻りヘッダ６は、往きヘッダ４と同様に、ヘッダ本体６ａと、そのヘッダ本体６ａの長手方向の一端部に形成される主管接続部６ｂと、そのヘッダ本体の外周面において長手方向に並設される複数個（本実施形態では、４個）の分岐管接続部６ｃとから成り、各分岐管接続部６ｃに戻り配管３ｂ（図１参照）が接続されると共に、上記主管接続部６ｂに第２配管１２の入口側接続部１２ａ（図１及び図５参照）が接続される。また、上記第２配管１２と膨張タンク７とは熱交換路１３によって接続されているが、この熱交換路１３は、以下に述べる冷媒回路の凝縮器又は蒸発器として機能する水熱交換器１６と熱交換可能に設けられている。これにより、水熱交換器１６において、上記第２配管１２から返流される循環液８が加熱又は冷却される。そして、この熱交換路１３の先端が膨張タンク７の底部に接続されている。これにより、床温調パネル２の温調水循環パイプ１１を流通した循環液８は、戻り配管３ｂを通って戻りヘッダ６に流入し、この戻りヘッダ６によって各戻り配管３ｂを流通する循環液８が合流されて第２配管１２に供給され、さらに上記熱交換路１３で加熱された後、膨張タンク７に供給される。なお、上記第２配管１２には、戻り温度検知サーミスタ３５が、また上記水熱交換器１６には、水熱交温度検知サーミスタ３６が取付けられている。
【００３７】
また、本実施形態では、図４〜図６に示すように、戻りヘッダ６のヘッダ本体６ａの長手方向の他端部に、後述する支持板５の戻りヘッダ当接部５ｄに形成される貫通孔５ｅに挿入可能な突出部６ｄが設けられている。また、突出部６ｄの外周面には、戻りヘッダ当接部５ｄに当接するリブ部６ｅ（図６参照）が設けられている。
【００３８】
支持板５は、図６に示すように、往きヘッダ４のヘッダ本体４ａの長手方向の他端部に４本のネジ５０ａにより取り付けられている。そして、この往きヘッダ４に取り付けられた支持板５は、第１配管１０の出口側接続部１０ａに対して往きヘッダ４の主管接続部４ｂが接続された状態になるように、ヘッダ室１ｂに取り付けられる。この支持板５は、ヘッダ室１ｂの底面に当接する底面部５ａと、当該底面部５ａに対して垂直方向に折り曲げられる立設部５ｂとを有している。底面部５ａには、２つのネジ貫通孔（図示せず）が形成されており、２本のネジ５０ｂが当該２つのネジ貫通孔を介してヘッダ室１ｂの底面に形成されるネジ孔（図示せず）に締め付けられることにより、支持板５がヘッダ室１ｂに固定される。立設部５ｂは、底面部５ａに対して垂直方向に延在する平板状である。この立設部５ｂは、往きヘッダ４に対応する部分に設けられる往きヘッダ当接部５ｃと、戻りヘッダ６に対応する部分に設けられる戻りヘッダ当接部５ｄとを有しており、当該往きヘッダ当接部５ｃと戻りヘッダ当接部５ｃとが連結して略Ｓ字形状をなしている。往きヘッダ当接部５ｃは、戻りヘッダ当接部５ｄより上方で、且つ、配管接続方向下流側に設けられている。これにより、往きヘッダ４が戻りヘッダ６の上方に配置され、且つ、往きヘッダ４（分岐管接続部４ｃ）が戻りヘッダ６（分岐管接続部６ｃ）よりも配管接続方向下流側に配置される。これにより、作業者から見て、往きヘッダ４の分岐管接続部４ｃと戻りヘッダ６の分岐管接続部６ｃとが重複しない状態で配置される。
【００３９】
往きヘッダ当接部５ｃは、往きヘッダ４の主管接続部４ｂと第１配管１０の出口側接続部１０ａとを接続した状態で往きヘッダ４をヘッダ室１ｂに支持するために設けられている。この往きヘッダ当接部５ｃは、往きヘッダ４のヘッダ本体４ａの他方端に配置され、且つ、往きヘッダ４のヘッダ本体４ａの一方端には第１配管１０の出口側接続部１０ａが配置されるので、往きヘッダ４は、第１配管１０と支持板５とにより挟持される。
【００４０】
戻りヘッダ当接部５ｄは、戻りヘッダ６の主管接続部６ｂと第２配管１２の入口側接続部１２ａとを接続した状態で戻りヘッダ６をヘッダ室１ｂに支持するために設けられている。この戻りヘッダ当接部５ｄは、戻りヘッダ６のヘッダ本体６ａの他方端に配置され、且つ、戻りヘッダ６のヘッダ本体６ａの一方端には第２配管１２の入口側接続部１２ａが配置されるので、戻りヘッダ６は、第２配管１２と支持板５とにより挟持される。この戻りヘッダ当接部５ｄには、戻りヘッダ６に形成される突出部６ｄが挿入可能な貫通孔５ｅが形成されている。この貫通孔５ｅの内径は、戻りヘッダ６のリブ部６ｅの外径より小さく、且つ、突出部６ｄの外径より大きい。したがって、当該突出部６ｄが貫通孔５ｅに挿入された場合に、リブ部６ｅが戻りヘッダ当接部５ｄに当接して、戻りヘッダ６の長手方向の移動が規制される。
【００４１】
次に、図１を参照して、冷媒系統について説明する。なお、以下においては、暖房運転時を例にしてその説明を行っている。本実施形態では、循環液８の加熱に水熱交換器１６を使用し、この水熱交換器１６と、マルチ型のヒートポンプシステムの空気調和ユニット１７の室外熱交換器１９との間で冷媒循環回路を構成して、熱交換路１３を流れる循環液８を加熱するようにしている。また、図１に示すように、このヒートポンプシステムの空気調和ユニット１７に接続された１台の室内機１８を備えており、空気調和ユニット１７と室内機１８とによって空気調和機を構成している。この空気調和機では、冷媒が循環する順序で、圧縮機２１、室内ファン２０ａを付設した室内熱交換器２０、減圧機構２２、室外ファン１９ａを付設した室外熱交換器１９を接続して冷媒循環回路を構成している。より詳しく説明すると、圧縮機２１の吐出管２１ａと吸入管２１ｂとが四路切換弁２３の１次ポートに接続されており、上記吸込管２１ｂにアキュムレータ３１が介設される一方、上記吐出管２１ａには、吐出管温度検知サーミスタ３８が付設されている。また、上記四路切換弁２３の一対の２次ポートの間には、第１ガス管２４ａ、室内熱交換器２０、第１液管２４ｂ、減圧機構２２、第２液管２４ｃ、室外熱交換器１９及び第２ガス管２４ｄが、順番に環状に接続されている。このとき、上記室内熱交換器２０と室外熱交換器１９には、それぞれ室内熱交温度検知サーミスタ４３と室外熱交温度検知サーミスタ４１とが付設されており、さらに上記室内機１８と空気調和ユニット１７には、室内温度検知サーミスタ４４と外気温度検知サーミスタ４２とがそれぞれ取付けられている。
【００４２】
また、上記第１液管２４ｂには、ヘッダ２６が介設されており、このヘッダ２６と室内熱交換器２０とを結ぶ間の部分が連絡配管２５の液管２５ａとなる。同様に上記第１ガス管２４ａにも、ヘッダ２７が介設されており、このヘッダ２７と室内熱交換器２０とを結ぶ間の部分が連絡配管２５のガス管２５ｂとなる。そして、上記ヘッダ２６に接続されたもう１つの連絡配管２８である液管２８ａが、温調水ユニット１の水熱交換器１６の一端に接続され、また上記ヘッダ２７に接続されたもう１つの連絡配管２８であるガス管２８ｂが、水熱交換器１６の他端に接続されている。これによって、四路切換弁２３には室外熱交換器１９、減圧機構２２、温調水ユニット１の水熱交換器１６が環状に接続されることになる。また、連絡配管２５、２８の各液管２５ａ、２８ａはそれぞれ電動膨張弁２９、３０を介してヘッダ２６に接続されており、この電動膨張弁２９、３０の開閉を適宜制御することによって、室内機１８及び温調水ユニット１の両方に供給する冷媒量を制御できるように成っている。ここで、上記液管２５ａの室内機１８側と、液管２８ａの温調水ユニット１側には、それぞれ液管温度検知サーミスタ３９、３７が付設されており、上記ガス管２５ｂ、２８ｂの空気調和ユニット１７側には、それぞれガス管温度検知サーミスタ４０ａ、４０ｂが付設されている。
【００４３】
なお、空気調和ユニット１７に設けた電装品３２には、電源から例えば２００Ｖ、２０Ａの電力が供給され、空気調和ユニット１７内の電気的制御が行われる。また、上記床温調装置には、室内の冷暖房運転の開始や停止等の操作を行うためのワイヤレスリモコン４５と、床の冷暖房に対して同様の操作を行うためのワイヤードリモコン４６とがそれぞれ設けられている。なおこれら各リモコン４５、４６によって、利用者が希望する室温、床温等の設定も行われる。さらに、この空気調和ユニット１７の電装品３２と室内機１８に設けた電装品３４、及び上記空気調和ユニット１７の電装品３２と温調水ユニット１に設けた電装品３３とは、それぞれ信号・電源線で接続されている。このため、空気調和機と温調水ユニット１とを連動させる設定が利用者によって行われると、例えばワイヤレスリモコン４５における運転開始操作で、空気調和機と温調水ユニット１とを併用した運転を開始させることも可能である。
【００４４】
次に、上記床温調装置及び空気調和機の各運転動作について説明する。このシステムでは、上記したようにリモコン等からの指示に基づいて、冷房運転又は暖房運転が可能である。そこで、まず室内の冷房運転のみを行う場合には、温調水ユニット１側の電動膨張弁２９を閉じた状態において、四路切換弁２３を図１に示す実線方向とは逆方向に切り換え、圧縮機２１を駆動する。すると冷媒が圧縮機２１から順に室外熱交換器１９、減圧機構２２、室内熱交換器２０と流通し、室外熱交換器１９が凝縮器として機能すると共に、室内熱交換器２０が蒸発器として機能し、これによって、冷房運転を行うことができる。
【００４５】
一方、室内の暖房運転のみを行う場合には、温調水ユニット１側の電動膨張弁２９を小開度に維持した状態において、四路切換弁２３を図１に示す実線方向に切り換え、圧縮機２１を駆動する。すると冷媒が圧縮機２１から順に室内熱交換器２０、減圧機構２２、室外熱交換器１９と流通し、室外熱交換器１９が蒸発器として機能すると共に、室内熱交換器２０が凝縮器として機能し、これによって、暖房運転を行うことができる。
【００４６】
また、床暖房運転のみを行う場合には、上記室内機１８側の電動膨張弁３０を小開度に維持し、温調水ユニット１側の電動膨張弁２９を開いた状態において、圧縮機２１を駆動し、水熱交換器１６を凝縮器として機能させると共に、室外熱交換器１９を蒸発器として機能させる。そして、この状態で上記温調水ユニット１内の循環ポンプを駆動する。すると、膨張タンク７内の循環液８が第１配管１０内に流出し、温調水配管３及び温調水循環パイプ１１を介して第２配管１２に返流され、次いで熱交換路１３を流通する。このとき凝縮器として機能している水熱交換器１６によって、上記熱交換路１３を流れる循環液８が加熱され、その後、膨張タンク７内へと供給される。このような運転を継続して行うことによって、床暖房運転を行うことができる。また、本実施形態においては、主に床暖房について述べているが、上記室外熱交換器１９を凝縮器として機能させると共に、水熱交換器１６を蒸発器として機能させれば、循環液８が冷却されるため、これによって床冷房運転を行うこともできる。さらに上記室内機１８と温調水ユニット１との両側の電動膨張弁２９、３０を両方とも開とすることにより、室内と床との冷暖房を同時に行うことも可能である。
【００４７】
［本実施形態のヘッダの支持構造の特徴］
本実施形態のヘッダの支持構造１００には、以下のような特徴がある。
【００４８】
本実施形態のヘッダの支持構造１００では、支持板５を用いることにより、第１配管１０と主管接続部４ｂとを接続した状態で往きヘッダ４を室外機５０（ヘッダ室１ｂ）に支持することができ、且つ、第２配管１２と主管接続部６ｂとを接続した状態で戻りヘッダ６を室外機５０に支持することができる。つまり、本実施形態では、クイックファスナや押え金具を用いることなく、１つの支持板５によって往きヘッダ４及び戻りヘッダ６を室外機５０に支持させることができる。その結果、往きヘッダ４及び戻りヘッダ６を支持するのに共通の支持板５を用いることができ、部品点数を削減することができる。
【００４９】
本実施形態のヘッダの支持構造１００では、往きヘッダ４及び戻りヘッダ６が共に樹脂製であることから、往きヘッダ４及び戻りヘッダ６を金属により成形する場合と異なり、往きヘッダ４と戻りヘッダ６とに生じる寸法誤差を縮小させることができる。これにより、往きヘッダ４及び戻りヘッダ６の寸法に合わせて支持板５を形成することが可能となり、１つの支持板５で、第１配管１０が主管接続部４ｂに接続された状態で往きヘッダ４を室外機５０に支持すると共に、第２配管１２が主管接続部６ｂに接続された状態で戻りヘッダ６を室外機５０のヘッダ室１ｂに支持することができる。したがって、往きヘッダ４及び戻りヘッダ６を別々の部材で支持する場合に比べて、往きヘッダ４及び戻りヘッダ６を支持するのに要する部品点数を削減することができる。また、往きヘッダ４及び戻りヘッダ６を支持するのに要する部品点数が削減されるのに伴って、その往きヘッダ４及び戻りヘッダ６を室外機５０に支持する作業工程が削減される。さらに、上記したように、往きヘッダ４及び戻りヘッダ６を樹脂製にすることによって、ロウ付け作業や溶接作業などが伴う金属製の往きヘッダ４及び戻りヘッダ６を製造する場合に比べて、往きヘッダ４及び戻りヘッダ６のコストダウンを図ることができる。
【００５０】
また、このヘッダの支持構造１００では、往きヘッダ４を第１配管１０と支持板５とにより挟持することによって、往きヘッダ４の主管接続部４ｂと第１配管１０とを確実に接続することができる。このため、往きヘッダ４の主管接続部４ｂと第１配管１０との接続部分に装着される部材（例えば、クイックファスナ）を用いることなく、往きヘッダ４の主管接続部４ｂと第１配管１０との接続不良を防止することができる。また、戻りヘッダ６についても同様に、戻りヘッダ６の主管接続部６ｂと第２配管１２との接続部分に装着される部材（例えば、クイックファスナ）を用いることなく、戻りヘッダ６の主管接続部６ｂと第２配管１２との接続不良を防止することができる。
【００５１】
また、このヘッダの支持構造１００では、支持板５の貫通孔５ｅに戻りヘッダ６の突出部６ｄが挿入された状態で、リブ部６ｅが支持板５に当接するので、戻りヘッダ６を第２配管１２と支持板５とにより挟持する構成を容易に実現できる。また、支持板５の貫通孔５ｅに戻りヘッダ６の突出部６ｄを挿入する構成では、戻りヘッダ６は、突出部６ｄの軸回りに回転可能となる。そのため、戻りヘッダ６の分岐管接続部６ｃに接続される戻り配管３ｂの取り付け角度が調整可能となり、戻り配管３ｂに加わるストレスが小さくなるように配管することができる。従って、２に接続される戻り配管３ｂの位置に応じた最適な配管が可能となり、汎用性及び利便性が向上する。
【００５２】
また、このヘッダの支持構造１００では、戻り配管３ｂが放火などの原因で燃えて当該戻り配管３ｂが接続される戻りヘッダ６が延焼した場合でも、戻りヘッダ６の上方に配置される往きヘッダ４が、戻りヘッダ６に係るもらい火によって類焼するのを抑制することができる。さらに、往きヘッダ４の内部に設けられる熱動弁１５が類焼するのも抑制することができる。
【００５３】
また、このヘッダの支持構造１００では、往きヘッダ４が戻りヘッダ６の上方に配置され、且つ、往きヘッダ４の分岐管接続部４ｃが戻りヘッダ６の分岐管接続部６ｃよりも配管接続方向下流側に配置され、作業者から見て、往きヘッダ４の分岐管接続部４ｃと戻りヘッダ６の分岐管接続部６ｃとがズレた位置に配置される。従って、作業者にとって往き配管３ａ及び戻り配管３ｂの取付性が向上する。
【００５４】
（第２実施形態）
次に、本発明の第２実施形態に係る床温調装置について説明する。
上記第１実施形態では、空気調和ユニットに対して、床温調装置を構成する温調水ユニットと、空気調和機を構成する室内機と、が接続された構成について説明した。この第２実施形態においては、空気調和ユニット５１Ｂに対して、温調水ユニット５１Ａのみが接続された構成について説明する。尚、第１実施形態と同一部材には同一符号を付して、詳細な説明を省略する。
【００５５】
図７は、本発明の第２実施形態に係る床温調装置の水系統及び冷媒系統を示す回路図である。まず、図７における回路図の床温調装置の水系統について説明する。床温調装置は、室外に設置された室外機５１と、家屋の床面に配置された４枚の床温調パネル２と、室内に設置されたリモコン４６と、を有して構成される。室外機５１は、温調水ユニット５１Ａと、ヒートポンプシステムの空気調和ユニット５１Ｂと、を有して構成される。上記温調水ユニット５１Ａと床温調パネル２とは、温調水往き配管３ａと温調水戻り配管３ｂとから成る温調水配管３によって接続されている。そして、この温調水配管３を通して、温調水ユニット５１Ａと床温調パネル２との間において、水循環経路を構成し、温調水８の循環供給を行うよう構成されている。
【００５６】
上記温調水ユニット５１Ａは、第１実施形態と同様に、水熱交換器１６、簡易密閉型の膨張タンク７、循環ポンプ９、往きヘッダ４、熱動弁１５、戻りヘッダ６、電装品３３等が設けられている。尚、戻りヘッダ６と水熱交換器１６との間の管路において、水抜栓１１１が設けられており、水循環経路を流れる温調水を外部に排出することが可能である。また、第２配管１２には、戻り温度検知サーミスタ３５が、また上記水熱交換器１６には、水熱交温度検知サーミスタ３６が、また水熱交換器１６と膨張タンク７の間の管路には、往き温度検知サーミスタ１１２が、取付けられている。
【００５７】
なお、往きヘッダ４及び戻りヘッダ６を備えたヘッダの支持構造は、上記した第１実施形態と同様であるので、その説明を省略する。
【００５８】
次に冷媒系統について説明する。この床温調装置においては、第１実施形態に係る床温調装置と同様に、温調水８の加熱に水熱交換器１６を使用している。そして、この水熱交換器１６と、ヒートポンプシステムの空気調和ユニット５１Ｂの室外熱交換器１９との間で冷媒循環回路を構成して、熱交換路１３を流れる温調水８を加熱するようにしている。
【００５９】
床温調装置では、冷媒が循環可能な順序で、圧縮機２１、温調水ユニット５１Ａの水熱交換器１６、減圧機構２２、室外ファン１９ａを付設した室外熱交換器１９を接続して冷媒循環回路を構成している。より詳しく説明すると、圧縮機２１の吐出管２１ａと吸入管２１ｂとが四路切換弁２３の１次ポートに接続されている。そして、上記吸入管２１ｂにアキュムレータ３１が介設される。一方、上記吐出管２１ａには、吐出管温度検知サーミスタ３８、マフラ１１３が付設されている。また、上記四路切換弁２３の一対の２次ポートの間には第１ガス管２４ａ、連絡配管２８ｂ、水熱交換器１６、第１液管２４ｂ、減圧機構２２、第２液管２４ｃ、室外熱交換器１９及び第２ガス管２４ｄが、順番に環状に接続されている。第１ガス管２４ａには、四路切換弁２３側から、マフラ１１４及びガス閉鎖弁１１５が順に介設されている。また、第１液管２４ｂには、連絡配管２８ａ側から液閉鎖弁１１６、フィルター付マフラ１１７、及びストレーナ１１８が順に介設されている。また、第２液管２４ｃには、減圧機構２２側からストレーナ１１９及びフィルター付分岐マフラ１２０が介設されている。尚、第２液管２４ｃは、フィルター付分岐マフラ１２０にて分岐している。室外熱交換器１９は並列する２つの管路を有しており、当該分岐した一対の第２液管２４ｃに接続されている。そして、室外熱交換器１９における並列する２つの管路は、第２ガス管２４ｄにて合流するように構成されている。また、室外熱交換器１９には、室外熱交温度検知サーミスタ４１とが付設されており、さらに空気調和ユニット５１Ｂには、外気温度検知サーミスタ４２が取付けられている。
【００６０】
このように、四路切換弁２３には室外熱交換器１９、減圧機構２２、温調水ユニット５１Ａの水熱交換器１６が環状に接続されている。なお、上記床温調装置には、冷暖房運転の開始や停止等の操作を行うためのワイヤードリモコン４６が設けられている。尚、第１実施形態においては、空気調和ユニット５１Ｂの電装品３・BR>Qと温調水ユニット５１Ａの電装品３３とは、別々に配置されているが、第２実施形態の床温調装置においては、電装品３３により、空気調和ユニット５１Ｂと温調水ユニット５１Ａとを制御できるように構成されている。なお、電装品３３は、空気調和ユニット５１Ｂに配置した構成であってもよい。
【００６１】
次に、上記床温調装置の各運転動作について説明する。この床温調装置は、リモコン４６等からの指示に基づいて、冷房運転又は暖房運転が可能である。
【００６２】
床暖房運転を行う場合には、ガス閉鎖弁１１５及び液閉鎖弁１１６を開いた状態にして、圧縮機２１を駆動し、水熱交換器１６を凝縮器として機能させると共に、室外熱交換器１９を蒸発器として機能させる。そして、この状態で上記温調水ユニット５１Ａ内の循環ポンプ９を駆動する。すると、膨張タンク７内の温調水８が第１配管１０内に流出し、温調水配管３及び温調水循環パイプ１１を介して第２配管１２に返流され、次いで熱交換路１３を流通する。このとき凝縮器として機能している水熱交換器１６によって、上記熱交換路１３を流れる温調水８が加熱され、その後、膨張タンク７内へと供給される。このような運転を継続して行うことによって、床暖房運転を行うことができる。また、本実施の形態においては、主に床暖房について述べているが、上記室外熱交換器１９を凝縮器として機能させると共に、水熱交換器１６を蒸発器として機能させれば、温調水８が冷却されるため、これによって床冷房運転を行うこともできる。
【００６３】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００６４】
例えば、上記実施形態では、複数（上記実施形態では、４つ）の床温調パネルに対応可能な往きヘッダ及び戻りヘッダを支持するヘッダの支持構造について説明したが、本発明のヘッダの支持構造では、１つの床温調パネルに対応する往きヘッダ及び戻りヘッダ、及び、５つ以上の床温調パネルに対応する往きヘッダ及び戻りヘッダも支持可能である。
【００６５】
また、上記実施形態では、往きヘッダの内部に熱動弁を設ける例について説明したが、本発明はこれに限らず、熱動弁以外の弁機構を配置することも可能である。
【００６６】
また、上記実施形態では、樹脂製の往きヘッダ４及び戻りヘッダ６について説明したが、本発明のヘッダの支持構造における往きヘッダ及び戻りヘッダの材質は、樹脂製に限定されない。例えば、往きヘッダ及び戻りヘッダが共に金属製であっても良いし、一方のヘッダが樹脂製であり他方のヘッダが金属製であっても良い。
【産業上の利用可能性】
【００６７】
本発明を利用すれば、往きヘッダ及び戻りヘッダを支持するのに要する部品点数を削減することができる。
【図面の簡単な説明】
【００６８】
【図１】本発明の第１実施形態に係るヘッダの支持構造を有する温調水ユニットを備えた温調システムの水系統及び冷媒系統を示す回路図である。
【図２】ヘッダの支持構造を備えた室外機の全体斜視図である。
【図３】図２に示した室外機の平面図である。
【図４】図２に示したヘッダの支持構造の拡大斜視図である。
【図５】図２に示したヘッダの支持構造の拡大斜視図である。
【図６】図２に示したヘッダ支持構造の正面図である。
【図７】本発明の第２実施形態に係る床温調装置の水系統及び冷媒系統を示す回路図である。
【符号の説明】
【００６９】
２  床温調パネル
３ａ  調温水往き配管（往き配管）
３ｂ  調温水戻り配管（戻り配管）
４  往きヘッダ
４ｂ  主管接続部（第１配管接続部）
４ｃ  分岐管接続部（往き配管接続部）
５  支持板（支持部材）
５ｅ  貫通孔
６  戻りヘッダ
６ｂ  主管接続部（第２配管接続部）
６ｃ  分岐管接続部（戻り配管接続部）
６ｄ  突出部
６ｅ  リブ部
１０  第１配管
１２  第２配管
１５  熱動弁（弁機構）
５０，５１  室外機
１００  ヘッダの支持構造 
【図１】
0004883075.tif 000002
【図２】
0004883075.tif 000003
【図３】
0004883075.tif 000004
【図４】
0004883075.tif 000005
【図５】
0004883075.tif 000006
【図６】
0004883075.tif 000007
【図７】
0004883075.tif 000008